(57)【要約】【課題】小型化することができ、ロックアームの揺動方向一側への変位による破損を防止することができるコネクタを提供する。【解決手段】相手ハウジング３が嵌合可能なハウジング５と、このハウジング５に揺動可能に設けられ相手ハウジング３の被係止部７に係止可能な係止部９を有するロックアーム１１と、ハウジング５に設けられロックアーム１１の幅方向の両側に配置されるロックアーム保護壁１３，１３とを備えたコネクタ１において、ロックアーム保護壁１３に、ロックアーム１１側に向けて係合突起１５を突設し、ロックアーム１１に、ロックアーム保護壁１３との対向面に位置され係合突起１５と係合しロックアーム１１の揺動方向一側への変位を規制する係合凹部１７を設けた。【選択図】図１
2016110851.tif 000002
【特許請求の範囲】
【請求項１】
相手ハウジングが嵌合可能なハウジングと、このハウジングに揺動可能に設けられ前記相手ハウジングの被係止部に係止可能な係止部を有するロックアームと、前記ハウジングに設けられ少なくとも前記ロックアームの幅方向の両側に配置されるロックアーム保護壁とを備えたコネクタであって、
前記ロックアーム保護壁には、前記ロックアーム側に向けて係合突起が突設され、前記ロックアームには、前記ロックアーム保護壁との対向面に位置され前記係合突起と係合し前記ロックアームの揺動方向一側への変位を規制する係合凹部が設けられていることを特徴とするコネクタ。
【請求項２】
請求項１記載のコネクタであって、
前記ロックアームの長さ方向の一端側には、前記係止部が設けられ、前記ロックアームの長さ方向の他端側には、押圧による揺動操作により前記係止部を前記被係止部から係止解除させる解除操作部が設けられ、
前記係合凹部は、前記ロックアームの前記解除操作部側に設けられていることを特徴とするコネクタ。
【請求項３】
請求項１又は２記載のコネクタであって、
前記ロックアームの長さ方向の端面は、前記ロックアーム保護壁の長さ方向の端面より内側に位置されていることを特徴とするコネクタ。
【発明の詳細な説明】
【技術分野】
【０００１】
本発明は、コネクタに関する。
【背景技術】
【０００２】
従来、コネクタとしては、相手ハウジングが嵌合可能なハウジングと、このハウジングに揺動可能に設けられ相手ハウジングの被係止部に係止可能な係止部を有するロックアームと、ハウジングに設けられ少なくともロックアームの幅方向の両側に配置されるロックアーム保護壁とを備えたものが知られている（例えば、特許文献１参照）。
【０００３】
このコネクタでは、ロックアームの幅方向の両側に被係止部が突設され、ロックアーム保護壁の上面に被係止部に係止する反り返り防止片が設けられている。この被係止部と反り返り防止片とを係合させることにより、ロックアームの揺動方向一側であるロックアームが復元したときの反り返り方向への変位が規制されている。
【先行技術文献】
【特許文献】
【０００４】
【特許文献１】特開平１０−１９９６２１号公報
【発明の概要】
【発明が解決しようとする課題】
【０００５】
しかしながら、上記特許文献１のようなコネクタでは、ロックアームの幅方向の両側から被係止部が突設されているので、ロックアームの幅方向の両側に配置されるロックアーム保護壁間に被係止部を配置させるための配置スペースを確保する必要があり、ロックアーム保護壁が幅方向に広がって配置され、コネクタが大型化してしまう。
【０００６】
これに対して、特許文献１の他の実施形態では、ロックアーム保護壁にロックアームに突設された被係止部が挿入される係止孔が設けられ、係止孔の上縁が開口されて被係止部を係止する反り返り防止部が設けられたものが開示されている。
【０００７】
このようなコネクタでは、ロックアームに突設された被係止部がロックアーム保護壁を貫通する係止孔に挿入されるので、ロックアーム保護壁間に被係止部を配置させるための配置スペースを確保する必要がなく、コネクタを小型化することができる。
【０００８】
しかしながら、上記特許文献１の他の実施形態におけるコネクタでは、被係止部を係止するために係止孔の上縁が開口されているので、反り返し防止部の強度が低下しており、被係止部と反り返し防止部とが係合したときに、反り返り防止部が破損する恐れがあった。
【０００９】
そこで、この発明は、小型化することができ、ロックアームの揺動方向一側への変位による破損を防止することができるコネクタの提供を目的としている。
【課題を解決するための手段】
【００１０】
請求項１記載の発明は、相手ハウジングが嵌合可能なハウジングと、このハウジングに揺動可能に設けられ前記相手ハウジングの被係止部に係止可能な係止部を有するロックアームと、前記ハウジングに設けられ少なくとも前記ロックアームの幅方向の両側に配置されるロックアーム保護壁とを備えたコネクタであって、前記ロックアーム保護壁には、前記ロックアーム側に向けて係合突起が突設され、前記ロックアームには、前記ロックアーム保護壁との対向面に位置され前記係合突起と係合し前記ロックアームの揺動方向一側への変位を規制する係合凹部が設けられていることを特徴とする。
【００１１】
このコネクタでは、ロックアームに、ロックアーム保護壁との対向面に位置されロックアーム保護壁に突設された係合突起と係合しロックアームの揺動方向一側への変位を規制する係合凹部が設けられているので、係合突起が係合凹部に収容され、ロックアーム保護壁間に係合突起を配置させるための配置スペースを確保する必要がなく、小型化することができる。
【００１２】
また、係合突起と係合凹部とは、ロックアームの揺動方向一側への変位を規制するように係合するので、係合突起が開口された縁部のような強度低下された部分に係合することがなく、係合凹部の強度を保持することができ、係合凹部の破損を防止することができる。
【００１３】
従って、このようなコネクタでは、ロックアームとロックアーム保護壁とを近接して配置して小型化することができ、係合凹部の強度を保持してロックアームの揺動方向一側への変位による破損を防止することができる。
【００１４】
請求項２記載の発明は、請求項１記載のコネクタであって、前記ロックアームの長さ方向の一端側には、前記係止部が設けられ、前記ロックアームの長さ方向の他端側には、押圧による揺動操作により前記係止部を前記被係止部から係止解除させる解除操作部が設けられ、前記係合凹部は、前記ロックアームの前記解除操作部側に設けられていることを特徴とする。
【００１５】
このコネクタでは、係合凹部が、ロックアームの解除操作部側に設けられているので、係合突起と係合凹部との係合が係止部と被係止部との係止に影響を与えることがなく、ハウジングと相手ハウジングとの嵌合状態を安定して保持することができる。
【００１６】
請求項３記載の発明は、請求項１又は２記載のコネクタであって、前記ロックアームの長さ方向の端面は、前記ロックアーム保護壁の長さ方向の端面より内側に位置されていることを特徴とする。
【００１７】
このコネクタでは、ロックアームの長さ方向の端面が、ロックアーム保護壁の長さ方向の端面より内側に位置されているので、ロックアームをロックアーム保護壁によって確実に保護することができ、ロックアームと周辺部材との干渉を防止することができる。
【発明の効果】
【００１８】
本発明によれば、小型化することができ、ロックアームの揺動方向一側への変位による破損を防止することができるコネクタを提供することができるという効果を奏する。
【図面の簡単な説明】
【００１９】
【図１】本発明の実施の形態に係るコネクタの斜視図である。
【図２】本発明の実施の形態に係るコネクタのハウジングの要部拡大斜視図である。
【図３】本発明の実施の形態に係るコネクタのハウジングの上面図である。
【図４】本発明の実施の形態に係るコネクタのハウジングの正面図である。
【図５】本発明の実施の形態に係るコネクタのロックアームの斜視図である。
【図６】（ａ）は本発明の実施の形態に係るコネクタのロックアームの上面図である。（ｂ）は本発明の実施の形態に係るコネクタのロックアームの正面図である。（ｃ）は本発明の実施の形態に係るコネクタのロックアームの側面図である。
【発明を実施するための形態】
【００２０】
図１〜図６を用いて本発明の実施の形態に係るコネクタについて説明する。
【００２１】
本実施の形態に係るコネクタ１は、相手ハウジング３が嵌合可能なハウジング５と、このハウジング５に揺動可能に設けられ相手ハウジング３の被係止部７に係止可能な係止部９を有するロックアーム１１と、ハウジング５に設けられロックアーム１１の幅方向の両側に配置されるロックアーム保護壁１３，１３とを備えている。
【００２２】
そして、ロックアーム保護壁１３には、ロックアーム１１側に向けて係合突起１５が突設され、ロックアーム１１には、ロックアーム保護壁１３との対向面に位置され係合突起１５と係合しロックアーム１１の揺動方向一側への変位を規制する係合凹部１７が設けられている。
【００２３】
また、ロックアーム１１の長さ方向の一端側には、係止部９が設けられ、ロックアーム１１の長さ方向の他端側には、押圧による揺動操作により係止部９を被係止部７から係止解除させる解除操作部１９が設けられ、係合凹部１７は、ロックアーム１１の解除操作部１９側に設けられている。
【００２４】
さらに、ロックアーム１１の長さ方向の端面２１は、ロックアーム保護壁１３の長さ方向の端面２３より内側に位置されている。
【００２５】
図１〜図６に示すように、相手ハウジング３は、合成樹脂などの絶縁性材料からなり、円筒状に形成されている。この相手ハウジング３の内部には、電源や機器などに電気的に接続され、タブ状の接続部を有する雄端子からなる相手端子２５が収容されている。この相手端子２５を収容する相手ハウジング３には、上面に被係止部７が突設されている。
【００２６】
被係止部７は、ハウジング５との嵌合方向の前側が傾斜面となっており、ハウジング５との嵌合方向の後側が上面とほぼ垂直に形成された係止面となっている。この被係止部７が設けられた相手ハウジング３は、ハウジング５と嵌合可能となっている。
【００２７】
なお、相手ハウジング３とハウジング５との間には、相手ハウジング３の外周面とハウジング５の内周面とに密着してハウジング５の内部と外部とを区画して防水するパッキンなどのシール部材が配置される。
【００２８】
ハウジング５は、合成樹脂などの絶縁性材料からなり、一端側が相手ハウジング３を挿入可能に開口された筐体状に形成され、内部に複数の端子収容室２７が設けられると共に、上面側にロックアーム１１が揺動可能に設けられている。
【００２９】
端子収容室２７は、ハウジング５の中央部にハウジング５の長さ方向に沿って形成されて複数（ここでは３つ）配置され、ハウジング５の他端側に設けられた開口からそれぞれ相手端子２５の接続部に接続可能な箱状の接続部を有する雌型端子からなる複数の端子２９が収容される。
【００３０】
端子２９は、導電性材料からなり、電源や機器などに接続された電線（不図示）の端末部に圧着部が圧着されて電気的に接続されている。この端子２９は、ハウジング５の他端側に設けられた開口から端子収容室２７内に挿入され、端子収容室２７内に撓み可能に設けられた係止ランス（不図示）や端子収容室２７内に挿入されるスペーサ（不図示）が係止することによって端子収容室２７内からの抜け止めがなされる。
【００３１】
なお、端末部に端子２９が接続された電線の外周には、端子収容室２７の内壁面と密着して端子収容室２７内を防水するゴム栓などのシール部材が装着されている。
【００３２】
このような端子２９は、相手ハウジング３とハウジング５とが嵌合することにより、端子収容室２７の一端側の開口から挿入される相手端子２５の接続部が箱状の接続部内に挿入され、相手端子２５と電気的に接続される。
【００３３】
この端子２９と相手端子２５との接続状態は、相手ハウジング３とハウジング５との嵌合状態を保持するロックアーム１１の係止部９と相手ハウジング３の被係止部７との係止によって保持される。
【００３４】
ロックアーム１１は、ハウジング５の上方に支持部３１によってハウジング５の高さ方向に揺動可能に配置され、支持部３１の外側に位置されハウジング５の長さ方向に沿って設けられた一対の接合部３３，３３と、一端側に設けられた係止部９と、他端側に設けられた解除操作部１９とによって枠状に形成されている。
【００３５】
係止部９は、ハウジング５の長さ方向に沿って設けられた一対の接合部３３，３３の一端側と、この一対の接合部３３，３３間に配置されハウジング５の長さ方向に沿って設けられた支持部３１から分岐した一対の分岐部３５，３５とを連結する連結部となっている。
【００３６】
この係止部９は、下側に位置する相手ハウジング３との嵌合方向の前側が傾斜面となっており、一対の分岐部３５，３５とで形成された凹部内の相手ハウジング３との嵌合方向の後側が上面とほぼ垂直に形成された係止面となっている。
【００３７】
このような係止部９は、相手ハウジング３とハウジング５とが嵌合する際に、傾斜面が被係止部７の傾斜面と当接することによってロックアーム１１を上方に向けて揺動させ、相手ハウジング３とハウジング５とが嵌合した際に、被係止部７を乗り越えロックアーム１１が下方に向けて復元するように揺動することにより、被係止部７が一対の分岐部３５，３５と係止部９とで形成された凹部内に収容され、係止面が被係止部７の係止面を係止して相手ハウジング３とハウジング５との嵌合状態を保持する。
【００３８】
解除操作部１９は、一対の接合部３３，３３の他端側で支持部３１の外側に配置され、一対の接合部３３，３３の他端側を連結する連結部となっており、一対の接合部３３，３３と一端側の係止部９とでロックアーム１１を枠状に形成する。
【００３９】
このような解除操作部１９は、上面が操作者の指などによって下方に向けて押圧されることにより、ロックアーム１１の係止部９側を上方に向けて揺動させ、係止部９と被係止部７との係止を解除することによって、相手ハウジング３とハウジング５との嵌合を解除することができる。
【００４０】
このようなロックアーム１１の解除操作部１９側は、係止部９と被係止部７とが係止する際に、係止部９側が上方に向けて変位されると、下方に向けて変位される。そして、係止部９と被係止部７とが係止されると、ロックアーム１１の復元によって、係止部９側が下方に向けて変位され、解除操作部１９側が上方に向けて変位される。
【００４１】
このような解除操作部１９と係止部９とが設けられたロックアーム１１の幅方向の両側には、それぞれハウジング５と連続する一部材で形成されたロックアーム保護壁１３，１３が配置されている。
【００４２】
ロックアーム保護壁１３は、ロックアーム１１の幅方向の両側に位置され、上面がロックアーム１１の自由状態で、ロックアーム１１の上面より上側に位置するように設定されている。
【００４３】
このロックアーム保護壁１３をロックアーム１１の周囲に配置させることにより、ロックアーム１１と周辺部材との干渉を防止するようにロックアーム１１を保護することができる。
【００４４】
ここで、ロックアーム１１をロックアーム保護壁１３で保護するだけだと、解除操作部１９側に外力が働き、ロックアーム１１の揺動方向一側（ここではロックアーム保護壁１３の上面から上方に向けた方向）に過大に変位すると、ロックアーム１１を破損させてしまう恐れがあった。
【００４５】
そこで、ロックアーム１１の解除操作部１９側には、ロックアーム１１の揺動方向一側への変位を規制する係合突起１５と係合凹部１７とが設けられている。
【００４６】
係合突起１５は、ロックアーム保護壁１３，１３の内面からロックアーム１１の幅方向の両側面に向けてそれぞれ突設されている。この係合突起１５は、ロックアーム１１の自由状態で、ロックアーム１１の係合凹部１７内に収容される。
【００４７】
係合凹部１７は、ロックアーム１１の解除操作部１９側の幅方向の両側に位置する係合突起１５，１５との対向面にそれぞれ設けられている。この係合凹部１７には、係合突起１５が収容されており、ロックアーム１１の解除操作部１９側が上方に向けて過度に変位しようとすると、係合突起１５と係合凹部１７との互いの対向面が係合する。
【００４８】
この係合突起１５と係合凹部１７との係合により、ロックアーム１１の解除操作部１９側の上方に向けた変位が規制され、ロックアーム１１の解除操作部１９側がロックアーム保護壁１３の上面から張り出すことがない。
【００４９】
加えて、ロックアーム保護壁１３に突設された係合突起１５は、ロックアーム１１の幅方向両側に設けられた係合凹部１７内に収容されているので、係合突起１５を配置させるための配置スペースをロックアーム保護壁１３とロックアーム１１の側面との間に設定する必要がなく、ロックアーム１１とロックアーム保護壁１３，１３とを近接して配置させることができ、コネクタ１を幅方向に小型化することができる。
【００５０】
さらには、係合突起１５と係合凹部１７との係合は、係合部の一部が開口され強度が低下されたような係合ではなく、互いの対向面である係合突起１５の下面と係合凹部１７の底壁の上面との係合であるので、十分な係合強度を保持することができ、係合凹部１７の破損を防止することができる。
【００５１】
ここで、ロックアーム１１の長さ方向の端面２１、ここでは、ロックアーム１１の長さ方向の解除操作部１９側の端面２１は、ロックアーム保護壁１３の長さ方向の端面２３より内側に位置されている。
【００５２】
このため、ロックアーム１１がロックアーム保護壁１３の長さ方向から張り出すことがなく、ロックアーム保護壁１３によってロックアーム１１の周囲を保護することができ、ロックアーム１１と周辺部材との干渉を防止してロックアーム１１の揺動を安定化することができる。
【００５３】
特に、ロックアーム１１の解除操作部１９側には、係合突起１５と係合する係合凹部１７が位置されているので、ロックアーム保護壁１３によって係合凹部１７を確実に保護することができ、周辺部材との干渉による係合凹部１７の破損を防止することができる。
【００５４】
このようなコネクタ１では、ロックアーム１１に、ロックアーム保護壁１３との対向面に位置されロックアーム保護壁１３に突設された係合突起１５と係合しロックアーム１１の揺動方向一側への変位を規制する係合凹部１７が設けられているので、係合突起１５が係合凹部１７に収容され、ロックアーム保護壁１３，１３間に係合突起１５を配置させるための配置スペースを確保する必要がなく、小型化することができる。
【００５５】
また、係合突起１５と係合凹部１７とは、ロックアーム１１の揺動方向一側への変位を規制するように係合するので、係合突起１５が開口された縁部のような強度低下された部分に係合することがなく、係合凹部１７の強度を保持することができ、係合凹部１７の破損を防止することができる。
【００５６】
従って、このようなコネクタ１では、ロックアーム１１とロックアーム保護壁１３とを近接して配置して小型化することができ、係合凹部１７の強度を保持してロックアーム１１の揺動方向一側への変位による破損を防止することができる。
【００５７】
また、係合凹部１７は、ロックアーム１１の解除操作部１９側に設けられているので、係合突起１５と係合凹部１７との係合が係止部９と被係止部７との係止に影響を与えることがなく、ハウジング５と相手ハウジング３との嵌合状態を安定して保持することができる。
【００５８】
さらに、ロックアーム１１の長さ方向の端面２１は、ロックアーム保護壁１３の長さ方向の端面２３より内側に位置されているので、ロックアーム１１をロックアーム保護壁１３によって確実に保護することができ、ロックアーム１１と周辺部材との干渉を防止することができる。
【００５９】
なお、本発明の実施の形態に係るコネクタでは、ロックアームの揺動方向がハウジングの高さ方向となっているが、これに限らず、ロックアームの揺動方向をハウジングの幅方向としてもよい。
【００６０】
また、係合突起と係合凹部とは、ロックアームの解除操作部側に設けられているが、これに限らず、係合突起と係合凹部とをロックアームの係止部側に設けてもよい。この場合には、ロックアームが揺動するので、係合突起と係合凹部との係合方向を、解除操作部側に設けられているときとは逆に設定すればよい。
【００６１】
さらに、ロックアームの長さ方向の端面として、解除操作部側の端面を示しているが、係止部側の端面も、ロックアーム保護壁の長さ方向の端面より内側に位置されており、ロックアームが全体的にロックアーム保護壁によって保護されている。
【００６２】
また、ロックアーム保護壁は、ロックアームの幅方向の両側に配置されているが、これに限らず、ロックアームの長さ方向の両側にさらにロックアーム保護壁を設け、ロックアームの周囲をロックアーム保護壁で覆うようにしてもよい。
【符号の説明】
【００６３】
１…コネクタ
３…相手ハウジング
５…ハウジング
７…被係止部
９…係止部
１１…ロックアーム
１３…ロックアーム保護壁
１５…係合突起
１７…係合凹部
１９…解除操作部
２１…端面（ロックアーム）
２３…端面（ロックアーム保護壁）
３１…支持部
【図１】
2016110851.tif 000003
【図２】
2016110851.tif 000004
【図３】
2016110851.tif 000005
【図４】
2016110851.tif 000006
【図５】
2016110851.tif 000007
【図６】
2016110851.tif 000008